(57)【要約】    【課題】ＨＤＤに記録されている数多くの楽曲の中から、曲名やアーティスト名が一文字である楽曲を適切に検索できる車載情報端末を提供する。    【解決手段】キーワードを入力し（ステップＳ１）、そのキーワードに基づいてＨＤＤから楽曲を検索する。このとき、キーワードが一文字だけ入力された場合には、入力されたキーワードに完全一致するアーティスト名、トラック名またはアルバム名のいずれか少なくとも一つを有する楽曲を検索する（ステップＳ３）。キーワードが二文字以上入力された場合には、入力されたキーワードを含むアーティスト名、トラック名またはアルバム名のいずれか少なくとも一つを有する楽曲を検索する（ステップＳ４）。【選択図】図８
2006221245.tif 000002
【特許請求の範囲】
【請求項１】
各楽曲に特定のアーティスト名、トラック名またはアルバム名のいずれか少なくとも一つを関連付けて、音楽データを楽曲単位で記録する記録手段と、
前記記録手段に記録された楽曲のいずれかを検索するためのキーワードを入力する入力手段と、
前記入力手段により入力されたキーワードに基づいて前記記録手段から楽曲を検索する検索手段と、
前記入力手段により前記キーワードが一文字だけ入力された場合と、前記キーワードが二文字以上入力された場合とで、前記検索手段における楽曲の検索方法を切り替える切り替え手段とを備えることを特徴とする車載情報端末。
【請求項２】
請求項１の車載情報端末において、
前記検索手段は、
前記入力手段により入力されたキーワードに完全一致するアーティスト名、トラック名またはアルバム名のいずれか少なくとも一つに関連付けされた楽曲を前記記録手段から検索する完全一致検索手段と、
前記入力手段により入力されたキーワードを含むアーティスト名、トラック名またはアルバム名のいずれか少なくとも一つに関連付けされた楽曲を前記記録手段から検索する部分一致検索手段とを有し、
前記切り替え手段は、前記入力手段により前記キーワードが一文字だけ入力された場合には、前記完全一致検索手段により楽曲を検索させ、前記キーワードが二文字以上入力された場合には、前記部分一致検索手段により楽曲を検索させることを特徴とする車載情報端末。
【発明の詳細な説明】
【技術分野】
【０００１】
本発明は、音楽データをハードディスクに記録しておき、必要に応じて再生出力する機能を備えた車載情報端末に関する。
【背景技術】
【０００２】
車両を目的地まで案内するためのナビゲーション機能に加えて、音楽ＣＤから音楽データを取り込んでハードディスク（ＨＤＤ）に記録しておき、必要に応じて再生出力する機能を備えた車載ナビゲーション装置が知られている（非特許文献１）。
【０００３】
【非特許文献１】特許庁  標準技術集  「カーナビゲーション装置のユーザーインターフェイス」主分類６−Ｃ−１ａ
【発明の開示】
【発明が解決しようとする課題】
【０００４】
非特許文献１に開示される装置では、ＨＤＤに記録されている楽曲の量が多くなるにつれて、その中からユーザが聞きたい楽曲を探し出すことが困難になる。そこで、曲名やアーティスト名の一部分をユーザが検索キーワードとして指定すると、その検索キーワードを曲名やアーティスト名に含む楽曲を検索して抽出することにより、ユーザが聴きたい楽曲を簡単に探し出せるようにしたものがある。しかし、曲名やアーティスト名が一文字である楽曲を検索したい場合は、その一文字を検索キーワードとすると、その検索キーワードの一文字を曲名やアーティスト名に含む楽曲が全て検索対象となるため、ユーザが意図しない楽曲までも数多く抽出されてしまう。このような問題を解決するため、曲名やアーティスト名が一文字である楽曲を適切に検索できる装置が求められている。
【課題を解決するための手段】
【０００５】
請求項１の発明による車載情報端末は、各楽曲に特定のアーティスト名、トラック名またはアルバム名のいずれか少なくとも一つを関連付けて、音楽データを楽曲単位で記録する記録手段と、記録手段に記録された楽曲のいずれかを検索するためのキーワードを入力する入力手段と、入力手段により入力されたキーワードに基づいて記録手段から楽曲を検索する検索手段と、入力手段によりキーワードが一文字だけ入力された場合と、キーワードが二文字以上入力された場合とで、検索手段における楽曲の検索方法を切り替える切り替え手段とを備えるものである。
請求項２の発明は、請求項１の車載情報端末において、検索手段は、入力手段により入力されたキーワードに完全一致するアーティスト名、トラック名またはアルバム名のいずれか少なくとも一つに関連付けされた楽曲を記録手段から検索する完全一致検索手段と、入力手段により入力されたキーワードを含むアーティスト名、トラック名またはアルバム名のいずれか少なくとも一つに関連付けされた楽曲を記録手段から検索する部分一致検索手段とを有し、切り替え手段は、入力手段によりキーワードが一文字だけ入力された場合には、完全一致検索手段により楽曲を検索させ、キーワードが二文字以上入力された場合には、部分一致検索手段により楽曲を検索させるものである。
【発明の効果】
【０００６】
本発明によれば、各楽曲に特定のアーティスト名、トラック名またはアルバム名のいずれか少なくとも一つを関連付けて、アルバムやトラックなどの楽曲単位で音楽データを記録する。そして、キーワードを入力し、そのキーワードに基づいて楽曲を検索する。このときに、キーワードが一文字だけ入力された場合と、二文字以上入力された場合とで、楽曲の検索方法を切り替えることとした。このようにしたので、キーワードが一文字の場合はそれに適した検索方法を使用することができる。そのため、曲名やアーティスト名が一文字である楽曲を適切に検索することができる。
【発明を実施するための最良の形態】
【０００７】
本発明の一実施形態による音楽データ記録再生機能付き車載ナビゲーション装置の構成を図１に示す。このナビゲーション装置１は、出発地から目的地までの推奨経路を地図上に表示して車両を目的地まで案内する一般的なナビゲーション機能を有している。さらに加えて、音楽ＣＤから音楽データを取り込んで記録しておき、必要に応じて再生出力する音楽データの記録再生機能も有している。図１に示すように、ナビゲーション装置１はナビゲーション部１０、音楽データ記録再生部１１、モニタ１２、ＨＤＤ１３、およびＣＤ／ＤＶＤドライブ１４を有している。音楽データ記録再生部１１には、入力された音声信号を不図示のスピーカへ出力して音声を出力するためのオーディオ装置２が接続されている。
【０００８】
ナビゲーション部１０は、マイクロプロセッサやＲＯＭ、ＲＡＭ等を用いて構成される演算処理部１０１と、ＧＰＳ衛星から受信するＧＰＳ信号や自車両の運動状態の検出結果などに基づいて自車両の現在地を検出する現在地検出部１０２と、ユーザからの要求入力を受け付けるための入力操作部１０３とを有している。入力操作部１０３を介してユーザから目的地が設定されると、現在地検出部１０２を用いて現在地を検出した後、演算処理部１０１により、ＨＤＤ１３に記録されている地図データを読み出して周知のナビゲーション処理を行う。こうしてナビゲーション部１０において現在地から目的地までの推奨経路を求め、モニタ１２に車両を目的地まで誘導するための地図表示などを行うことで、ナビゲーション装置１においてナビゲーション機能が実現される。
【０００９】
上記のように、入力操作部１０３を操作して目的地を設定することで、ユーザはナビゲーション装置１に対してナビゲーション機能の実行を要求することができる。さらにユーザは、入力操作部１０３の操作により、音楽データの記録再生機能の実行をナビゲーション装置１に対して要求することもできる。音楽データの記録再生機能の要求がユーザによって行われると、その要求内容は音楽データ記録再生部１１に通知される。なお、入力操作部１０３としては、たとえばモニタ１２と一体化されたタッチパネルや、リモコンなどを用いることができる。
【００１０】
音楽データ記録再生部１１は、ユーザからの要求に応じて音楽データの記録再生処理を実行するための構成部分であり、制御部１１１および再生出力部１１２を有している。音楽データの記録を行う場合には、制御部１１１においてＨＤＤ１３とＣＤ／ＤＶＤドライブ１４を制御することにより、ＣＤ／ＤＶＤドライブ１４にセットされた音楽ＣＤから音楽データを読み込んでＨＤＤ１３に書き込む。このような処理はリッピングと呼ばれている。ＨＤＤ１３には、書き込まれた音楽データが楽曲単位で記録される。
【００１１】
一方、音楽データの再生を行う場合には、前述のリッピング処理によってＨＤＤ１３に記録された音楽データ、あるいは、ＣＤ／ＤＶＤドライブ１４にセットされた音楽ＣＤに記録された音楽データのいずれかを、楽曲単位で再生することができる。制御部１１１においてＨＤＤ１３とＣＤ／ＤＶＤドライブ１４のいずれかを制御して音楽データを読み込み、その音楽データを再生出力部１１２において音声信号に変換することにより、オーディオ装置２に音声信号が出力されて、スピーカから音楽が再生出力される。なお、このとき音楽ＣＤの再生と並行してリッピング処理を行うこともできる。
【００１２】
ＨＤＤ１３において音楽データを記録する際には、その曲名（トラック名）やアーティスト名も一緒に記録される。複数の楽曲を組み合わせたアルバム単位でＨＤＤ１３に記録することもでき、この場合にはトラック名と共にアルバム名も記録される。なお、アーティスト名、トラック名またはアルバム名のいずれか少なくとも一つが音楽データと共に記録されていればよく、全てが揃っていなくてもよい。すなわち、ＨＤＤ１３は、各楽曲に特定のアーティスト名、トラック名またアルバム名のいずれか少なくとも一つを関連付けて、音楽データを楽曲単位で記録している。
【００１３】
ユーザは、入力操作部１０３を操作して、アーティスト名、トラック名またはアルバム名のいずれかに含まれる文字をキーワードとして入力することにより、ＨＤＤ１３に記録されている音楽データの中から再生したいものをナビゲーション装置１に検索させることができる。このときナビゲーション装置１では、キーワードが一文字だけ入力された場合と、二文字以上入力された場合とで、検索方法を切り替える。
【００１４】
キーワードが一文字だけ入力された場合は、その一文字のキーワードと全く同じアーティスト名、トラック名またはアルバム名のいずれかを有する楽曲をＨＤＤ１３から検索する。すなわち、キーワードに完全一致するアーティスト名、トラック名またはアルバム名のいずれか少なくとも一つに関連付けされた楽曲をＨＤＤ１３から検索する。たとえば、「Ａ」の文字がキーワードとして入力されると、アーティスト名、トラック名またはアルバム名のいずれかが「Ａ」である楽曲を検索する。
【００１５】
一方、キーワードが二文字以上入力された場合は、その二文字のキーワードと部分的に一致するアーティスト名、トラック名またはアルバム名のいずれかを有する楽曲をＨＤＤ１３から検索する。すなわち、キーワードを含んだアーティスト名、トラック名またはアルバム名のいずれか少なくとも一つに関連付けされた楽曲をＨＤＤ１３から検索する。たとえば、「Ａ」に続けて「Ｂ」の文字がキーワードとして入力されると、アーティスト名、トラック名またはアルバム名のいずれかの一部に「ＡＢ」の文字列を含む楽曲を検索する。こうしてキーワードの文字数に応じて検索方法を切り替えることにより、ＨＤＤ１３に記録されている数多くの楽曲の中から、ユーザが探したい楽曲を簡単に検索できるようにしている。
【００１６】
以上説明したようにして検索方法を切り替える様子を図２〜７の表示画面例を用いて説明する。図２は、キーワードが一文字だけ入力された場合の画面例を示している。アルファベットや数字などの各種ボタンが配列された入力ボタン群２１から「Ａ」のボタンがユーザによって選択されると、「Ａ」の一文字がキーワードとして入力され、キーワード表示欄２２に「Ａ」と表示される。すると、アーティスト名、トラック名またはアルバム名のいずれかが「Ａ」に完全一致する楽曲がＨＤＤ１３から検索され、その数が件数表示欄２３に表示される。この例では、件数表示欄２３に「１」と表示されていることから、アーティスト名、トラック名またはアルバム名のいずれかが「Ａ」である楽曲が１件検索されたことが分かる。
【００１７】
こうして一文字のキーワードに完全一致する楽曲が検索された後、図２の画面において「表示」と表記された表示ボタン２４がユーザによって選択されると、次に図３に示す画面が表示される。なお、「戻る」と表記されたキャンセルボタン２５を選択することにより、ユーザは必要に応じて入力済みのキーワードを一文字ずつ消去することもできる。また、「かな」と表記された入力モード変換ボタン２６を選択することにより、かな入力用の画面に切り替えることもできる。さらに、「ＡＮＤ」と表記された複数キーワード指定ボタン２７を選択することにより、複数のキーワードを入力することもできる。
【００１８】
図３は、キーワード「Ａ」による検索結果を表示した画面の一例であり、アルバム名がキーワード「Ａ」と一致している例を示している。符号２８に示すマークは、表示されているのがトラックではなく、アルバムであることを表すためのマーク（アルバムマーク）である。ここではアルバム名がキーワードと一致している例を示しているが、トラック名やアーティスト名がキーワードと一致していてもよい。なお、アルバム名ではなくトラック名を表示する場合には、アルバムマーク２８を表示せず、その替わりにトラック名を表示することが好ましい。このようにすれば、アルバムとトラックのどちらが表示されているかをユーザが一目で判断できる。こうして検索されたアルバムまたはトラックの中からいずれかを選択することにより、ユーザはそのアルバムやトラックを再生出力するようナビゲーション装置１に指示することができる。
【００１９】
一方、目的のアルバムやトラックが見つからずに、ユーザが検索の継続を希望する場合は、「入力」と表記された入力画面移動ボタン２９を選択することにより、図２の画面に戻ってキーワードの入力を続けることができる。
【００２０】
図４は、キーワードが二文字以上入力された場合の画面例を示している。図２と同様にして入力ボタン群２１によって「Ｗａ」のキーワードが入力されると、キーワード表示欄２２に「Ｗａ」と表示される。そして、アーティスト名、トラック名またはアルバム名のいずれかに「Ｗａ」を含む楽曲がＨＤＤ１３から検索され、その数が件数表示欄２３に表示される。この例では、件数表示欄２３に「７３」と表示されていることから、アーティスト名、トラック名またはアルバム名のいずれかに「Ｗａ」を含んでいる楽曲が７３件検索されたことが分かる。
【００２１】
さらにキーワードの入力を続けて「Ｗａｉ」のキーワードが入力されると、検索結果が絞り込まれて、図５に示すような画面が表示される。ここでは、件数表示欄２３に「２」と表示されていることから、アーティスト名、トラック名またはアルバム名のいずれかに「Ｗａｉ」を含んでいる楽曲が２件検索されたことが分かる。この画面において表示ボタン２４がユーザによって選択されると、次に図６に示す画面が表示される。
【００２２】
図６は、キーワード「Ｗａｉ」による検索結果を表示した画面の一例であり、トラック名にキーワード「Ｗａｉ」が含まれている例を示している。ここでは、トラック名が「Ｗａｉｔ＆Ｌｏｏｋ」と、「Ｗａｉｔｉｎｇ  ｆｏｒ  ｙｏｕ」である例を示している。なお、ここではトラック名にキーワードが含まれている例を示しているが、アルバム名やアーティスト名にキーワードが含まれていてもよい。
【００２３】
上記のようにして検索された２つのトラックの中から、ユーザがたとえば「Ｗａｉｔ＆Ｌｏｏｋ」を選択すると、図７に示すように、選択されたことが分かるようにその部分が反転表示される。このようにして、検索されたアルバムやトラックの中からいずれかを選択することにより、ユーザはそのアルバムやトラックを再生出力するようナビゲーション装置１に指示することができる。
【００２４】
以上説明したような処理を実行するときのフローチャートを図８に示す。このフローチャートは、制御部１１１において実行されるものである。ステップＳ１では、キーワードの入力を行う。これは、前述したようにユーザが入力ボタン群２１によっていずれかの文字を入力することによって行われる。ユーザによってキーワードが入力されると、次のステップＳ２へ進む。
【００２５】
ステップＳ２では、ステップＳ１において入力されたキーワードが最初の一文字目であるか否かを判定する。最初の一文字目である場合、すなわちキーワードが一文字だけ入力されている場合は、ステップＳ３へ進む。ステップＳ３では、アーティスト名、トラック名またはアルバム名のいずれかが入力されたキーワードに完全一致する楽曲をＨＤＤ１３から検索するための完全一致検索処理を実行する。この処理の内容は、後で図９を用いて詳しく説明する。
【００２６】
一方、ステップＳ２において最初の一文字目でないと判定した場合、すなわちキーワードが二文字以上入力されている場合は、ステップＳ４へ進む。ステップＳ４では、入力されたキーワードがアーティスト名、トラック名またはアルバム名のいずれかに含まれている楽曲をＨＤＤ１３から検索するための部分一致検索処理を実行する。この処理の内容は、後で図１０を用いて詳しく説明する。ステップＳ３の完全一致検索処理、またはステップＳ４の部分一致検索処理のいずれかを実行したら、ステップＳ５へ進む。
【００２７】
ステップＳ５では、ステップＳ３またはＳ４における検索結果を表示するか否かを判定する。この判定は、表示ボタン２４と入力ボタン群２１のどちらがユーザによって押されたかを検出することによって行われる。表示ボタン２４が押された場合は、検索結果を表示するともの判定してステップＳ６へ進む。入力ボタン群２１のいずれかのボタンが押された場合は、検索結果を表示しないものと判定してステップＳ１へ戻り、そのボタンに応じた文字をキーワードに続けて入力する。
【００２８】
ステップＳ６では、検索結果をリスト表示する。これにより、図３または図６に示すように、入力されたキーワードに基づいて検索されたアルバムまたはトラックがリスト表示される。次のステップＳ７では、ステップＳ６において表示されたアルバムまたはトラックのうちいずれかがユーザによって選択されたか否かを判定する。選択された場合はステップＳ８へ進み、ステップＳ８においてそのアルバムまたはトラックを図７に示すように反転表示した後、図８のフローチャートを終了する。このようにして選択されたアルバムやトラックが再生出力される。一方、ステップＳ７において入力画面移動ボタン２９が押された場合は、ステップＳ１へ戻って上記の処理を繰り返すことにより、キーワードの入力を続ける。
【００２９】
次に、図９のフローチャートを用いて、図８のステップＳ３で実行される完全一致検索処理の内容について説明する。ステップＳ３０では、ＨＤＤ１３に記録されている楽曲をいずれか１つ選択する。このとき、記録されている楽曲をアルバム単位またはトラック単位で選択する。ステップＳ３１では、ステップＳ３０で選択した楽曲のアーティスト名、アルバム名、トラック名のいずれかが一文字であるか否かを判定する。少なくともいずれかが一文字である場合はステップＳ３２へ進み、いずれも一文字でない場合はステップＳ３４へ進む。
【００３０】
ステップＳ３２では、図８のステップＳ１で入力されたキーワードが、ステップＳ３０で選択した楽曲のアーティスト名、アルバム名、トラック名のいずれかに完全一致するか否かを判定する。少なくともいずれかに完全一致する場合はステップＳ３３へ進み、いずれにも完全一致しない場合はステップＳ３４へ進む。
【００３１】
ステップＳ３３では、ステップＳ３０で選択した楽曲を、対象アルバム（アルバム単位で選択した場合）または対象トラック（トラック単位で選択した場合）として抽出し、検索件数を１つカウントアップする。このようにして、アーティスト名、アルバム名、トラック名のいずれかが一文字であって入力キーワードに完全一致する楽曲を抽出し、その件数をカウントする。こうしてカウントされた件数が件数表示欄２３に表示されると共に、抽出された楽曲のアーティスト名、アルバム名およびトラック名が図８のステップＳ６においてリスト表示される。
【００３２】
ステップＳ３４では、ステップＳ３０においてＨＤＤ１３に記録されている全ての楽曲を選択したか否かを判定する。全てを選択した場合は図９のフローチャートを終了し、まだ選択していない楽曲がある場合はステップＳ３０へ戻る。以上説明したようにして、入力キーワードに完全一致するアーティスト名、トラック名またはアルバム名の楽曲をＨＤＤ１３から検索する。
【００３３】
次に、図１０のフローチャートを用いて、図８のステップＳ４で実行される部分一致検索処理の内容について説明する。ステップＳ４０では、図９のステップＳ３０と同様に、ＨＤＤ１３に記録されている楽曲をアルバム単位またはトラック単位でいずれか１つ選択する。ステップＳ４１では、図８のステップＳ１で入力されたキーワードが、ステップＳ４０で選択した楽曲のアーティスト名、アルバム名、トラック名のいずれかに含まれているか否かを判定する。少なくともいずれかに含まれている場合はステップＳ４２へ進み、いずれにも含まれていない場合はステップＳ４３へ進む。
【００３４】
ステップＳ４２では、図９のステップＳ３３と同様に、ステップＳ４０で選択した楽曲を、対象アルバム（アルバム単位で選択した場合）または対象トラック（トラック単位で選択した場合）として抽出し、検索件数を１つカウントアップする。このようにして、アーティスト名、アルバム名、トラック名のいずれかに入力キーワードを含む楽曲を抽出し、その件数をカウントする。こうしてカウントされた件数が件数表示欄２３に表示されると共に、抽出された楽曲のアーティスト名、アルバム名およびトラック名が図８のステップＳ６においてリスト表示される。
【００３５】
ステップＳ４３では、ステップＳ４０においてＨＤＤ１３に記録されている全ての楽曲を選択したか否かを判定する。全てを選択した場合は図１０のフローチャートを終了し、まだ選択していない楽曲がある場合はステップＳ４０へ戻る。以上説明したようにして、入力キーワードを含むアーティスト名、トラック名またはアルバム名の楽曲をＨＤＤ１３から検索する。
【００３６】
以上説明した実施の形態によれば、次の作用効果が得られる。
（１）ＨＤＤ１３において、各楽曲に特定のアーティスト名、トラック名またはアルバム名のいずれか少なくとも一つを関連付けて、アルバムやトラックなどの楽曲単位で音楽データを記録する。そして、キーワードを入力し（ステップＳ１）、そのキーワードに基づいてＨＤＤ１３から楽曲を検索する（ステップＳ３、Ｓ４）。このときに、キーワードが一文字だけ入力された場合と、二文字以上入力された場合とで、楽曲の検索方法を切り替えることとした（ステップＳ２）。このようにしたので、キーワードが一文字の場合はそれに適した検索方法を使用することができる。そのため、曲名やアーティスト名が一文字である目的の楽曲を、ＨＤＤ１３に記録されている数多くの楽曲の中から適切に検索することができる。
【００３７】
（２）キーワードが一文字だけ入力された場合には、入力されたキーワードに完全一致するアーティスト名、トラック名またはアルバム名のいずれか少なくとも一つに関連付けされた楽曲をＨＤＤ１３から検索する（ステップＳ３）。キーワードが二文字以上入力された場合には、入力されたキーワードを含むアーティスト名、トラック名またはアルバム名のいずれか少なくとも一つに関連付けされた楽曲をＨＤＤ１３から検索する（ステップＳ４）。このようにしたので、キーワードの文字数に応じて、適切な検索方法を使用することができる。
【００３８】
なお、以上説明した実施の形態では、音楽ＣＤより音楽データを読み取ってＨＤＤへ書き込む例について説明したが、一般の市販音楽ＣＤに限らず、音楽データが記録されたＣＤ−Ｒ、ＭＤ、ＤＶＤ、あるいは各種メモリカード類など、様々な記録メディアより音楽データを読み取ることができる。さらに、ラジオやテレビからのアナログ音声信号を取り込み、アナログ・デジタル変換を行ってデータ化した後にＨＤＤへ書き込むようにしてもよい。
【００３９】
また、上記の実施の形態ではナビゲーション装置と組み合わせた例を説明したが、ナビゲーション機能を有さない各種の車載情報端末、たとえばカーオーディオ装置などにおいても、本発明は適用可能である。
【００４０】
上記の実施の形態では、記録手段をＨＤＤ１３によって実現し、その他の各手段を制御部１１１における処理ステップによって実現している。しかし、本発明は上記実施の形態に限定されるものではなく、本発明の技術的思想の範囲内で考えられるその他の態様も、本発明の範囲内に含まれる。
【図面の簡単な説明】
【００４１】
【図１】本発明の一実施形態による音楽データ記録再生機能付き車載ナビゲーション装置の構成を示す図である。
【図２】キーワードが一文字だけ入力された場合の表示画面例である。
【図３】一文字のキーワードによる検索結果の表示画面例である。
【図４】キーワードが二文字以上入力された場合の表示画面例である。
【図５】さらにキーワードが入力された場合の表示画面例である。
【図６】二文字以上のキーワードによる検索結果の表示画面例である。
【図７】選択部分が反転表示された画面例である。
【図８】キーワードを入力してＨＤＤから楽曲を検索する際に実行されるフローチャートである。
【図９】完全一致検索処理の内容について説明するためのフローチャートである。
【図１０】部分一致検索処理の内容について説明するためのフローチャートである。
【符号の説明】
【００４２】
１  ナビゲーション装置
２  オーディオ装置
１０  ナビゲーション部
１１  音楽データ記録再生部
１２  モニタ
１３  ＨＤＤ
１４  ＣＤ／ＤＶＤドライブ
１０１  演算処理部
１０２  現在地検出部
１０３  入力操作部
１１１  制御部
１１２  再生出力部
【図１】
2006221245.tif 000003
【図２】
2006221245.tif 000004
【図３】
2006221245.tif 000005
【図４】
2006221245.tif 000006
【図５】
2006221245.tif 000007
【図６】
2006221245.tif 000008
【図７】
2006221245.tif 000009
【図８】
2006221245.tif 000010
【図９】
2006221245.tif 000011
【図１０】
2006221245.tif 000012